(57)【要約】【課題】使用時の安定性を向上させることができるとともに、ショルダースタイルとハンディスタイルとを両立させることができる撮像装置を提供する。【解決手段】撮像装置本体と、撮像装置本体に設けられた撮影レンズと、撮像装置本体において、撮影レンズが設けられた方向とは逆方向に摺動可能に設けられたショルダーパッドと、ショルダーパッドに設けられ、アクセサリを取り付け可能なアクセサリ取り付け部とを備える撮像装置である。【選択図】図１
2014038221.tif 000002
【特許請求の範囲】
【請求項１】
撮像装置本体と、
該撮像装置本体に設けられた撮影レンズと、
前記撮像装置本体において、前記撮影レンズが設けられた方向とは逆方向に摺動可能に設けられたショルダーパッドと、
該ショルダーパッドに設けられ、アクセサリを取り付け可能なアクセサリ取り付け部と、
を備える撮像装置。
【請求項２】
前記アクセサリ取り付け部は、前記ショルダーパッドにおいてユーザの肩に接する面とは逆側の面に設けられており、前記アクセサリを載置する状態で取り付け可能である
請求項１に記載の撮像装置。
【請求項３】
前記アクセサリ取り付け部は、前記アクセサリを固定する複数の固定穴であり、該複数の固定穴から前記アクセサリを取り付ける前記固定穴を選択することにより、前記アクセサリの取り付け位置が変更可能である
請求項１に記載の撮像装置。
【請求項４】
前記撮像装置本体から前記撮影レンズの装着方向とは逆方向に延出するシャフトをさらに備え、
前記ショルダーパッドは、前記シャフトに沿って摺動する
請求項１に記載の撮像装置。
【請求項５】
前記シャフトは２つ以上設けられている
請求項４に記載の撮像装置。
【請求項６】
前記ショルダーパッドを摺動可能とするスライダをさらに備える
請求項１に記載の撮像装置。
【請求項７】
前記ショルダーパッドの摺動を任意の位置で規制するロック機構をさらに備える
請求項１に記載の撮像装置。
【請求項８】
前記撮影レンズは、交換式レンズである
請求項１に記載の撮像装置。
【請求項９】
前記撮像装置本体の側面に第１のグリップ部をさらに備え、前記撮像装置本体の上面に第２のグリップ部をさらに備える
請求項１に記載の撮像装置。
【請求項１０】
前記固定穴は、前記ショルダーパッドにおいてユーザの肩に接する面とは逆側の面の略中央に設けられている
請求項３に記載の撮像装置。
【請求項１１】
前記アクセサリは、おもりである
請求項１に記載の撮像装置。
【請求項１２】
前記アクセサリは、モニタである
請求項１に記載の撮像装置。
【請求項１３】
前記アクセサリは、レコーダである
請求項１に記載の撮像装置。
【請求項１４】
前記アクセサリは、バッテリである
請求項１に記載の撮像装置。
【請求項１５】
前記アクセサリは、プロジェクタである
請求項１に記載の撮像装置。
【請求項１６】
前記アクセサリは、別の撮像装置である
請求項１に記載の撮像装置。
【発明の詳細な説明】
【技術分野】
【０００１】
本技術は、撮像装置に関する。
【背景技術】
【０００２】
テレビ放送用カメラや業務用カメラのように、比較的サイズが大きく、重量がある撮影装置には、肩で担いで撮影することが可能なように撮影装置底面にショルダーパッドが設けられているものがある（特許文献１）。
【先行技術文献】
【特許文献】
【０００３】
【特許文献１】特開２０１２−９５０２８号公報
【発明の概要】
【発明が解決しようとする課題】
【０００４】
しかし、特許文献１に記載の撮影装置は、ショルダーパッドを有することにより、ユーザが肩に乗せることは可能であるが、撮影装置使用時のバランスをよくすることは意図したものではない。撮影装置は、前方に重いレンズを備えるため、使用時にバランスが崩れ、安定性が悪くなってしまうことがある。また、特許文献１に記載の撮像装置は、肩に担いで撮影を行ういわゆるショルダースタイルの撮影を想定したものであるため、ショルダースタイルと手で撮像装置を持って撮影を行うハンディスタイルとを両立させることができない。
【０００５】
本技術はこのような問題点に鑑みなされたものであり、使用時の安定性を向上させるとともに、ショルダースタイルとハンディスタイルとを両立させることができる撮像装置を提供することを目的とする。
【課題を解決するための手段】
【０００６】
上述した課題を解決するために、第１の技術は、撮像装置本体と、撮像装置本体に設けられた撮影レンズと、撮像装置本体において、撮影レンズが設けられた方向とは逆方向に摺動可能に設けられたショルダーパッドと、ショルダーパッドに設けられ、アクセサリを取り付け可能なアクセサリ取り付け部とを備える撮像装置である。
【発明の効果】
【０００７】
本技術によれば、撮像装置の使用時における安定性を高めることができるとともに、ショルダースタイルとハンディスタイルとを両立させることができる。
【図面の簡単な説明】
【０００８】
【図１】図１Ａは、ショルダーパッドの収納時の撮像装置の外観斜視図であり、図１Ｂは、ショルダーパッドのスライド時の撮像装置の外観斜視図である。
【図２】図２Ａは、撮像装置の左側面図であり、図２Ｂは、撮像装置の右側面図である。
【図３】図３Ａは、撮像装置の正面図であり、図３Ｂは、撮像装置の背面図である。
【図４】図４Ａは、ショルダーパッドの収納時におけるスライド機構を示す上面斜視図であり、図４Ｂは、ショルダーパッドのスライド時におけるスライド機構を示す上面斜視図である。
【図５】図５Ａは、ショルダーパッドのスライドがロックされている状態におけるスライド機構を示す下面斜視図であり、図５Ｂは、ショルダーパッドのスライドのロックが解除されている状態におけるスライド機構を示す下面斜視図である。
【図６】図６は、スライド機構の分解図である。
【図７】図７は、スライド機構のスライダの構成を示す図である。
【図８】図８Ａは、ロック状態におけるロック機構の構成を示す下面斜視図であり、図８Ｂは、ロック解除状態におけるロック機構の構成を示す下面斜視図である。
【図９】図９Ａは、ロック状態におけるロック機構の断面図であり、図９Ｂは、ロック状態におけるロック機構の側面図である。
【図１０】図１０Ａは、ロック解除状態におけるロック機構の断面図であり、図１０Ｂは、ロック解除状態におけるロック機構の側面図である。
【図１１】図１１は、本技術の撮像装置の変形例を示す外観斜視図である。
【発明を実施するための形態】
【０００９】
以下、本技術の実施の形態について図面を参照しながら説明する。なお、説明は以下の順序で行う。
＜１．実施の形態＞
［１−１．撮像装置の構成］
［１−２．スライド機構の構成］
［１−３．ロック機構の構成］
＜２．変形例＞
【００１０】
＜１．実施の形態＞
［１−１．撮像装置の構成］
図１Ａは、ショルダーパッド５０の収納時の撮像装置１の外観構成を示す斜視図であり、図１Ｂは、ショルダーパッド５０のスライド時の撮像装置１の外観構成を示す斜視図である。また、図２Ａは、撮像装置の左側面図であり、図２Ｂは、撮像装置の右側面図である。さらに、図３Ａは、撮像装置の正面図であり、図３Ｂは、撮像装置の背面図である。
【００１１】
撮像装置１は、撮像装置本体１０、撮影レンズ２０、第２グリップ部３０、第１グリップ部４０、ショルダーパッド５０、アクセサリ取り付け部６０を備える。また、撮像装置本体１０は、入力部１１、表示部１２、マイクロホン１３などを備える。
【００１２】
撮像装置１は、手でグリップを掴んで撮影を行ういわゆるハンディスタイルの撮影を行うことができるとともに、肩に担いで撮影を行ういわゆるショルダースタイルの撮影も行うことができるものである。ハンディスタイルの場合には、第１グリップ部４０または第２グリップ部３０を手で掴むことによって撮像装置１を保持して撮影を行う。ショルダースタイルの場合には、ショルダーパッド５０を肩に載せて、第１グリップ部４０に片手を添えて撮像装置１を支えた状態で撮影を行う。
【００１３】
撮像装置本体１０は、内部にＣＣＤ（Charge Coupled Device）、ＣＭＯＳ（Complementary Metal Oxide Semiconductor）などの撮像素子、映像処理用および音声処理用の各種処理回路、撮像装置１全体を制御する制御部、ハードディスクドライブ、フラッシュメモリなどの記憶部、バッテリなどを備える。撮像装置本体１０内の撮像素子は撮影レンズ２０により集光された被写体光を画像信号に変換し、各種処理回路がその画像信号に所定の画像処理を施す。そして、最終的に記憶部に撮影済み映像が保存される。
【００１４】
撮影レンズ２０は、例えば、撮像装置本体１０に脱着可能に構成された、いわゆる交換レンズである。撮影レンズ２０は、被写体からの光を撮像装置本体１０における撮像素子に集光させるためのものである。撮影レンズ２０は、撮影レンズ２０を移動させてフォーカス合わせやズーミングを行うための駆動機構、シャッタ機構、アイリス機構を備えるものであってもよい。これらは撮像装置１の制御部からの制御信号に基づいて駆動される。
【００１５】
入力部１１は、撮像装置１の各種操作を行うためボタンなどからなるものである。入力部１１としては、電源オン／オフ切り替えのための電源ボタン、AUTO/MANUAL切り替えボタン、動画撮影用のSTART/STOPボタン、静止画像撮影用のボタン、IRIS用ボタン、FOCUS用ボタン、各種設定などのためのメニューボタン、ズーム調整用のズームレバー、オーディオ調整用ダイヤル、などがある。入力部１１に対して入力がなされると、その入力に応じた制御信号が生成されて撮像装置本体１０内部の制御部、各種処理回路などに出力される。そして、撮像装置１はその制御信号に対応した演算処理や制御を行う。
【００１６】
表示部１２は、例えば、ＬＣＤ（Liquid Crystal Display）、ＰＤＰ(Plasma Display Panel)、有機ＥＬ(Electro Luminescence)パネルなどにより構成された表示手段である。表示部１２には、撮像中の映像が表示されることによりビューファインダとして機能する。また、撮影済みで記憶部に記録された映像を表示する手段などとして機能する。
【００１７】
マイクロホン１３は、撮影時に集音を行うためのものであり、マイクロホン１３に入力された声は音声信号に変換されて撮像装置本体１０内部の処理回路などに供給され、音声データとして保存される。
【００１８】
第２グリップ部３０は、撮像装置本体１０の上面側に設けられている。ユーザは、例えば、低い位置における被写体を撮影使用すると場合などに第２グリップ部３０を掴むことにより、安定した状態で撮影を行うことができる。
【００１９】
また、第１グリップ部４０は、撮像装置本体１０の側面側に設けられている。ユーザは、ショルダーパッド５０を肩に載せて撮像装置１を担いだ状態において、第１グリップ部４０を利用することにより、撮像装置１を安定した状態で支えて、長時間の撮影を行うことができる。また、第１グリップ部４０はハンディスタイルの際にも用いられる。
【００２０】
ショルダーパッド５０は、撮像装置本体１０の底面側において、スライド機構により、撮像装置１の長手方向にスライド可能に設けられている。スライド機構の構成については後述する。
【００２１】
ユーザは、撮像装置１を用いて撮影を行う際にショルダーパッド５０を肩に載せることにより撮像装置１を肩に担ぎ、第１グリップ部４０を利用することによって安定した状態で撮影を行う。これにより、撮像装置１が重いものであっても長時間の撮影を行うことが可能となる。ショルダーパッド５０はユーザの肩への負担を軽減するために、例えば、発泡ウレタン・綿・化学繊維などの弾力性のある材料を布、合成皮革などで覆うという構成にするとよい。ただし、ショルダーパッド５０の構成はそれに限定されるものではなく、プラスチックなどで構成してもよい。
【００２２】
ショルダーパッド５０の上面側には、アクセサリ取り付け部６０が設けられている。アクセサリ取り付け部６０は、例えば、アクセサリを固定可能な固定穴として構成されている。固定穴は、ショルダーパッド５０の上面側の略中央に設けられている。アクセサリの固定方法としては例えばネジによる固定が挙げられる。その場合、固定穴はネジ穴として構成される。なお、アクセサリ取り付け部６０は、図１に示されるように、ショルダーパッド５０の収納時には撮像装置本体１０の底面に隠れることとなる。
【００２３】
アクセサリ取り付け部６０に取り付けるアクセサリとしては、例えば、おもりが挙げられる。図１Ｂにおいては、アクセサリ７０としておもりが取り付けられている。撮影装置１は前方に重い撮影レンズ２０を備えるため、使用時にバランスが崩れ、安定性が悪くなってしまうことがある。そこで、撮像装置１の後方のアクセサリ取り付け部６０におもりを取り付けることにより、撮像装置１のバランスをとり、安定性を高めることができる。なお、アクセサリ取り付け部６０としてのネジ穴を、ショルダーパッド５０のスライド方向（撮像装置１の長手方向）に沿って複数設けておくと、おもりの取り付け位置をその中から選択することができる。これにより、ユーザの好み、体格、身体的特徴、アクセサリの重量などに合わせてアクセサリを取り付ける位置を任意に選んで、より詳細なおもりによるバランス調整を行うことが可能となる。
【００２４】
また、アクセサリの他の例としては、外部モニタ、外部レコーダ、予備バッテリ、プロジェクタ、別個の撮像装置などが考えられる。アクセサリとして外部モニタを設け、外部モニタに現在撮影中の映像を表示させることにより、撮影を行なっているユーザ以外の者もリアルタイムに撮影映像を確認することが可能となる。
【００２５】
アクセサリとして外部レコーダを設けた場合、撮像装置本体１０内の記憶部に加え、さらに長時間の録画が可能となる。また、アクセサリとして予備バッテリを設けた場合、撮像装置本体１０内のバッテリが切れた場合にも対応することができる。また、アクセサリとしてプロジェクタを設けた場合、そのプロジェクタで現在撮影中の映像を、撮影を行なっているユーザの背後の壁やスクリーンなどに投影させることにより、ユーザ以外の者は、より大きな映像でリアルタイムに撮影映像を確認することが可能となる。さらに、アクセサリとして別個の撮像装置１を設けることにより、より多角的な撮影が可能となる。このように、アクセサリとして、外部モニタ、外部レコーダ、プロジェクタ、別個の撮像装置１などの機器を取り付けた場合、それらの機器を撮像装置１が備える外部出力端子などに接続することにより、それらの機器は使用可能となる。
【００２６】
このように、アクセサリとして様々な機器を取り付けることにより、容易に撮像装置１の機能の拡張を行うことができる。なお、アクセサリの取り付け方法はネジ止めに限られるものではなく、安定した状態でアクセサリを取り付けることができる方法であればどのようなものであってもよい。例えば、アクセサリを三脚座で取り付ける構造としてもよい。
【００２７】
［１−２．スライド機構の構成］
次に、ショルダーパッド５０をスライドさせるスライド機構１００の構成について説明する。図４Ａおよび図４Ｂは、ショルダーパッド５０をスライドさせるスライド機構１００の構成を示す上面斜視図である。図４Ａは、ショルダーパッド５０の収納時であり、図４Ｂは、ショルダーパッド５０のスライド時である。
【００２８】
図５Ａおよび図５Ｂは、スライド機構１００を示す下面斜視図である。また、図６はスライド機構１００の分解図である。さらに、図７はスライド機構１００を構成するスライダ１３０を示す図である。
【００２９】
スライド機構１００は、基体１１０、２本のガイドシャフト１２０、１２０、スライダ１３０とから構成されている。基体１１０は、例えば、プラスチックなどにより形成されており、撮像装置１の撮像装置本体１０の下部内において、撮像装置本体１０と結合されている。基体１１０は例えば、ボルト・ナットによって撮像装置本体１０と結合されている。
【００３０】
基体１１０には長手方向に添って、略長方形状のスライダ用溝１１１が形成されている。また、スライダ用溝１１１の長手方向両端側には直線状のスライダ受け部１１２、１１２が形成されている。スライダ１３０は、スライダ受け部１１２に掛合しながら、スライダ用溝１１１に沿ってスライドする。
【００３１】
スライダ用溝１１１の長手方向における一端側には、上方に起立する突起状の第１ストッパー受け部１１３が設けられている。第１ストッパー受け部１１３は、スライダ１３０が収納方向にスライドした場合に、スライダ１３０が備える第１ストッパー部１３４と衝合することによりスライダ１３０のスライドを規制するものである。
【００３２】
スライダ用溝１１１の長手方向における他端側には、上方に起立する突起状の第２ストッパー受け部１１４が設けられている。第２ストッパー受け部１１１４は、スライダ１３０が撮像装置１の撮影レンズ２０の装着方向とは逆方向にスライドした場合に、スライダ１３０が備える第２ストッパー部１３５と衝合することにより、スライドの限界の位置でスライダ１３０のスライドを規制するものである。
【００３３】
２本のガイドシャフト１２０は、基体１１０の長手方向に沿って、撮像装置本体１０に撮影レンズ２０が設けられた方向とは逆方向に向けて延出するように設けられている。ガイドシャフト１２０は、ショルダーパッド５０内に挿通することにより、ショルダーパッド５０のスライドを一方向に規制し、ショルダーパッド５０が安定した状態でスライド可能とするためのものである。ガイドシャフト１２０の本数は１本でもよいが、２本設けることにより、ショルダーパッド５０をより安定した状態でスライド可能とすることができる。
【００３４】
図６に示されるように、ショルダーパッド５０は内部に上側ケース５０Ａと、パッド部５０Ｂと、ショルダーパッド支持部５０Ｃとから構成されている。上側ケース５０Ａと、パッド部５０Ｂとが内部にショルダーパッド支持部５０Ｃを内包するように結合することによりショルダーパッド５０が構成されている。上側ケース部５０Ａはガイドシャフト１２０が挿通するための挿通穴５０Ｄ、５０Ｄを有する。また、ショルダーパッド支持部５０Ｃはガイドシャフト１２０が挿通するための挿通穴５０Ｅ、５０Ｅを有する。ガイドシャフト１２０がこれら挿通穴５０Ｄおよび挿通穴５０Ｅに挿通することにより、ショルダーパッド５０はスライド可能に支持されている。
【００３５】
スライダ１３０は、ショルダーパッド５０の上側ケース５０Ａと接続されており、基体１１０のスライダ用溝１１１に沿ってスライドすることにより、ショルダーパッド５０を撮像装置本体１０の長手方向に沿ってスライド可能とするものである。スライダ１３０は、スライダ本体１３１、Ｌ字型突出部１３２、１３２、第１ストッパー部１３４および第２ストッパー部１３５を備える。さらに、スライダ１３０のスライダ本体１３１には、別部材として構成された板バネ部１３３、１３３、・・・が設けられている。
【００３６】
スライダ１３０のスライダ本体１３１は、略平板の板状に形成されている。スライダ本体１３１の左右の両端には、所定の幅を有し、正面視略Ｌ字型の突起であるＬ字型突出部１３２、１３２が設けられている。Ｌ字型突出部１３２は、基体１１０のスライド用溝１１１の両端のスライド受け部１１２、１１２に対向するように構成されている。Ｌ字型突出部１３２、１３２は、ショルダーパッド５０のスライド時には基体１１０のスライド受け部１１２、１１２に接しておらず、スライド状態で撮像装置１を落下させてしまった場合などに、衝撃を受けるものとして機能する。
【００３７】
また、スライダ本体１３１には板バネ部１３３、１３３、・・・が設けられている。板バネ部１３３は、基体１１０のスライド受け部１１２に引っ掛かるように構成されている。板バネ部１３３が弾性力でスライド受け部１１２を押圧することにより、摩擦力が発生し、これにより、スライダ１３０のスライド速度が適切な速度となる。
【００３８】
第１ストッパー部１３４は、スライダ本体１３１の前端から上方に向けて起立する突起である。第１ストッパー部１３４は、基体１１０の第１ストッパー受け部１１３に接触することにより、スライダ１３０およびショルダーパッド５０のスライドを停止させる。第２ストッパー部１３５は、スライダ本体１３１の後端から上方に向けて起立する突起である。第２ストッパー部１３５は、基体１１０の第２ストッパー受け部１１４と接触することにより、スライダ１３０およびショルダーパッド５０のスライドを停止させる。
【００３９】
［１−３．ロック機構の構成］
次に、ロック機構２００の構成について説明する。図８Ａおよび図８Ｂは、ショルダーパッド５０のスライドをロックするロック機構２００の構成を示す下面斜視図である。図８Ａはロック状態であり、図８Ｂはロック解除状態である。
【００４０】
また、図９Ａは、ロック機構２００のロック状態を示す断面図であり、図９Ｂは、ロック機構２００のロック状態を示す側面図である。図１０Ａは、ロック機構２００のロック解除状態を示す断面図であり、図１０Ｂは、ロック機構２００のロック解除状態を示す側面図である。
【００４１】
ロック機構２００は、ロックプレート２１０、ロックシート２２０、レバー支持部２３０、ロックレバー２４０とから構成されている。
【００４２】
ロックプレート２１０は中央のレバー接触部２１１と、そのレバー接触部２１１の両端に形成されたシャフト押圧部２１２とからなる。レバー接触部２１１は、ロック時にはロックレバー２４０の押圧部２４２に押圧される。シャフト押圧部２１２は、ロック時においてガイドシャフト１２０を押圧することにより、スライダ１３０およびショルダーパッド５０のスライド動作を規制するものである。
【００４３】
ロックシート２２０は、ロックプレート２１０のシャフト押圧部２１２とガイドシャフト１２０との間に介在するように、ロックプレート２１０のシャフト押圧部２１２に貼設されている。よって、ロック状態において、ロックシート２２０はガイドシャフト１２０に接することとなる。ロックシート２２０は、所定の摩擦力を有するように例えば、プラスチック、ゴムなどの合成樹脂により形成されている。
【００４４】
ロックレバー２４０は、ユーザが手で操作するための操作レバー部２４１と、操作レバー部２４１の一端側に位置する押圧部２４２とからなる。ロックレバー２４０は、一対のレバー支持部２３０間において、レバー支持部２３０および押圧部２４２を貫通する回転軸に軸支されることにより、回転可能に設けられている。
【００４５】
押圧部２４２は、ロックプレート２１０のレバー接触部２１１を押圧することによりスライダ１３０をロック状態とするためのものである。本実施の形態においては、ロックレバー２４０が横倒している状態がロック状態であり、ロックレバー２４０が起き上がった状態がロック解除状態である。
【００４６】
ロックレバー２４０の押圧部２４２は、ロックレバー２４０が鉛直状態である場合に、ロックプレート２１０に対向する側の面がロックプレート２１０に接触せず、ロックレバー２４０が横倒状態である場合に、ロックプレート２１０に対向する側の面がロックプレート２１０に接触して押圧するように構成されている。
【００４７】
すなわち、ロックレバー２４０の押圧部２４２は、ロックレバー２４０が鉛直状態である場合に、ロックプレート２１０に対向する側の面から回転中心までの距離Ａより、ロックレバー２４０が横倒状態である場合に、ロックプレート２１０に対向する側の面から回転中心までの距離Ｂが長くなるように構成されている。
【００４８】
ロック機構２００は以上のようにして構成されている。次に、ロック機構２００によるロックおよびロック解除の動作について説明する。まず、図１０に示される、ロックレバー２４０が鉛直状態は、ロックが解除されショルダーパッド５０はスライド可能となっている状態である。この状態でユーザはショルダーパッド５０の位置を任意の位置に移動させることができる。
【００４９】
そして、ショルダーパッド５０の位置が決定したら、その位置でロック機構２００によりショルダーパッド５０をロックする。ロックするには、まず、ロックレバー２４０の操作レバー部２４１を操作してロックレバー２４０を横倒状態にする。そうすると、ロックレバー２４０の押圧部２４２がロックプレート２１０のレバー接触部２１１を押圧する。これにより、ロックプレート２１０が撓んでロックプレート２１０のシャフト押圧部２１２がロックシート２２０を介してガイドシャフト１２０を押圧する。
【００５０】
これにより、ガイドシャフト１２０とロックシート２２０との間に大きな摩擦力が発生し、その摩擦力によりスライダ１３０の摺動が規制される。この状態がロック状態である。スライダ１３０の摺動をロックすることにより、ユーザはショルダーパッド５０の位置を任意の位置で安定させることができる。そして、ショルダーパッド５０を肩に載せることにより撮像装置１を担ぎ、片方の手で第１グリップ部４０を用いて撮像装置１を支えることにより、安定した状態で撮影を行うことができる。
【００５１】
ショルダーパッド５０の位置をさらに変更する場合、または、ショルダーパッド５０を収納する場合、ロック状態を解除する。ロック状態を解除するためには、ロックレバー２４０を鉛直状態にする。上述したように、ロックレバー２４０の押圧部２４２は、ロックレバー２４０が横倒状態である場合に、ロックプレート２１０に対向する側の面がロックプレート２１０に接触し、ロックレバー２４０が鉛直状態である場合に、ロックプレート２１０に対向する側の面がロックプレート２１０に接触しないように構成されている。よって、ロックレバー２４０を鉛直状態にすると、ロックレバー２４０の押圧部２４２がロックプレート２１０から離間して、ロックプレート２１０によるガイドシャフト１２０の押圧状態が解除される。これにより、ロックシート２２０とガイドシャフト１２０間の摩擦がなくなり、スライダ１３０およびショルダーパッド５０がスライド可能となる。
【００５２】
ショルダーパッド５０がスライド可能となったら、ユーザはショルダーパッド５０を任意の位置までスライドさせる。または、ショルダーパッド５０を収納位置までスライドさせる。そして、ショルダーパッド５０の位置が決まったら、または、収納位置までスライドさせた場合、上述したようにロックレバー２４０を横倒させて、ロック状態とする。
【００５３】
ショルダーパッド５０をスライドさせると、ショルダーパッド５０の上面に設けられたアクセサリ取り付け部６０が現れる。ユーザは、ショルダーパッド５０のスライドに加え、さらに撮像装置１のバランスの調整を行いたい場合には、アクセサリ取り付け部６０におもりを取り付ける。これにより、よりユーザの好み、体格、身体的特徴に合わせたバランス調整が可能となる。
【００５４】
また、アクセサリ取り付け部６０には、外部モニタ、外部レコーダ、予備バッテリ、プロジェクタ、別個の撮像装置１などを取り付けて、撮像装置１の機能拡張を行うこともできる。
【００５５】
このように、本技術によれば、スライダ１３０を任意の位置までスライドさせて撮像装置１の長手方向の寸法を延ばして、ショルダーパッド５０の位置を変更することができる。これにより、撮像装置１の重心を、ショルダーパッド５０方向に移動させることによって、ユーザが撮像装置１を担いだ際の撮像装置１の安定性が良くなる。撮影者は撮像装置１を肩に担ぎ、片方の手で撮像装置１の前方のグリップ部を支えながら長時間の撮影を可能にすることができる。
【００５６】
また、撮影レンズ２０が交換レンズである場合に、サイズが大きく、重量が重いレンズを撮像装置１に装着すると、撮像装置１の重心が前方に寄ってしまい、バランスが悪くなる。そのような場合に、スライダ１３０を摺動させて撮像装置１の長手方向の寸法を延ばして、肩で担ぐことにより、ユーザは安定した状態で撮像装置１を使用することができる。
【００５７】
本実施の形態は、第２グリップ部３０および第１グリップ部４０を備えるため、１台の撮像装置１で小型・高機動性のハンディスタイルと安定撮影のショルダースタイルとを両立することができる。第２グリップ部３０を用いるハンディスタイルの場合は、例えば、ウエディングや音楽ライブなど臨場感のある手持ち撮影に対応することができる。また、ショルダースタイルの場合は、安定した長時間の撮影が可能となるため、シナリオに沿ったコマ割り撮影や報道、取材などに対応することができる。
【００５８】
また、従来、撮像装置１の安定性向上のため、リグと称される機器を使用していたが、本技術は、スライダ１３０を摺動させて、ショルダースタイルを実現する機構を有しているため、リグを使用する必要がない。
【００５９】
＜２．変形例＞
以上、本技術の実施の形態について具体的に説明したが、本技術は上述の実施形態に限定されるものではなく、本技術の技術的思想に基づく各種の変形が可能である。
【００６０】
例えば、図１１に示されるように、ショルダーパッド５０の上面に設けられたアクセサリ取り付け部６０がショルダーパッド５０上でスライド可能に構成されてもよい。これにより、アクセサリの取り付け位置がさらに変更可能となるので、例えばアクセサリとしておもりを用いた場合、より詳細なバランス調整が可能となる。
【００６１】
また、本技術は以下のような構成も取ることができる。
【００６２】
（１）撮像装置本体と、
該撮像装置本体に設けられた撮影レンズと、
前記撮像装置本体において、前記撮影レンズが設けられた方向とは逆方向に摺動可能に設けられたショルダーパッドと、
該ショルダーパッドに設けられ、アクセサリを取り付け可能なアクセサリ取り付け部と、
を備える
撮像装置。
【００６３】
（２）前記アクセサリ取り付け部は、前記ショルダーパッドにおいてユーザの肩に接する面とは逆側の面に設けられており、前記アクセサリを載置する状態で取り付け可能である
前記（１）に記載の撮像装置。
【００６４】
（３）前記アクセサリ取り付け部は、前記アクセサリを固定する複数の固定穴であり、該複数の固定穴から前記アクセサリを取り付ける前記固定穴を選択することにより、前記アクセサリの取り付け位置が変更可能である
前記（１）または（２）に記載の撮像装置。
【００６５】
（４）前記撮像装置本体から前記撮影レンズの装着方向とは逆方向に延出するシャフトをさらに備え、
前記ショルダーパッドは、前記シャフトに沿って摺動する
前記（１）から（３）のいずれかに記載の撮像装置。
【００６６】
（５）前記シャフトは２つ以上設けられている
前記（４）に記載の撮像装置。
【００６７】
（６）前記ショルダーパッドを摺動可能とするスライダをさらに備える
前記（１）から（５）のいずれかに記載の撮像装置。
【００６８】
（７）前記ショルダーパッドの摺動を任意の位置で規制するロック機構をさらに備える
前記（１）から（６）のいずれかに記載の撮像装置。
【００６９】
（８）前記撮影レンズは、交換式レンズである
前記（１）から（７）のいずれかに記載の撮像装置。
【００７０】
（９）前記撮像装置本体の側面に第１のグリップ部をさらに備え、前記撮像装置本体の上面に第２のグリップ部をさらに備える
前記（１）から（８）のいずれかに記載の撮像装置。
【００７１】
（１０）前記固定穴は、前記ショルダーパッドにおいてユーザの肩に接する面とは逆側の面の略中央に設けられている
前記（１）から（９）のいずれかに記載の撮像装置。
【００７２】
（１１）前記アクセサリは、おもりである
前記（１）から（１０）のいずれかに記載の撮像装置。
【００７３】
（１２）前記アクセサリは、モニタである
前記（１）から（１０）のいずれかに記載の撮像装置。
【００７４】
（１３）前記アクセサリは、レコーダである
前記（１）から（１０）のいずれかに記載の撮像装置。
【００７５】
（１４）前記アクセサリは、バッテリである
前記（１）から（１０）のいずれかに記載の撮像装置。
【００７６】
（１５）前記アクセサリは、プロジェクタである
前記（１）から（１０）のいずれかに記載の撮像装置。
【００７７】
（１６）前記アクセサリは、別の撮像装置である
前記（１）から（１０）のいずれかに記載の撮像装置。
【符号の説明】
【００７８】
１・・・・・撮像装置
１０・・・・撮像装置本体
２０・・・・撮影レンズ
３０・・・・第１グリップ部
４０・・・・第２グリップ部
５０・・・・ショルダーパッド
６０・・・・アクセサリ取り付け部
７０・・・・アクセサリ
１２０・・・ガイドシャフト
２００・・・ロック機構
【図１】
2014038221.tif 000003
【図２】
2014038221.tif 000004
【図３】
2014038221.tif 000005
【図４】
2014038221.tif 000006
【図５】
2014038221.tif 000007
【図６】
2014038221.tif 000008
【図７】
2014038221.tif 000009
【図８】
2014038221.tif 000010
【図９】
2014038221.tif 000011
【図１０】
2014038221.tif 000012
【図１１】
2014038221.tif 000013